(57)【要約】【課題】ロケーションフリーで配置場所を選ばず、超高速の無線通信機能により、ベースバンドのＨＤＡＶ情報を再生して、表示装置で視聴可能にするＡＶラックを提供する。【解決手段】前面が開口された箱状の筐体を有し、筐体内部の対向する側板部それぞれに設けられる複数組のガイド部材または、複数の棚板および／または仕切り部材により筐体の内部が複数の空間に仕切られており、少なくとも１台以上のＡＶ機器を筐体の内部に収納・配設可能なＡＶラック１１０であって、筐体の外底部に３個以上の球状または円板状の可動部材を用いた移動手段１１３が所定の位置に固定されて筐体を移動可能にしており、筐体内部の所定の位置に無線部１３０が配設された構成とする。【選択図】図１
2009118032.tif 000002
【特許請求の範囲】
【請求項１】
少なくとも１台以上のＡＶ機器を収納可能な筐体からなり、床面上を自由に移動可能なＡＶラックであって、
前記筐体に収納された少なくとも１台のＡＶ機器からのＡＶ信号を前記筐体の外部に設置された表示装置に無線送信するための無線送信部と、
前記ＡＶ機器を前記無線送信部に接続するための接続部と
を内蔵したことを特徴とするＡＶラック。
【請求項２】
前記ＡＶ信号はＨＤベースバンド信号であり、前記無線送信はミリ波を利用した無線送信であり、前記ＡＶ機器および前記無線送信部はＨＤＭＩ規格に準拠した接続部で接続されたことを特徴とする請求項１に記載のＡＶラック。
【請求項３】
ＡＶファイルを蓄積可能であり、前記ＡＶファイルを送信するファイル送信部を備える別のＡＶ機器を載置でき、前記筐体の外上面部に設けられて、前記筐体に収納されファイル受信部を備えた前記ＡＶ機器と通信可能なクレイドル部をさらに備えたことを特徴とする請求項１に記載のＡＶラック。
【請求項４】
前記クレイドル部と前記別のＡＶ機器はそれぞれを検知する検出部を備え、前記クレイドル部に前記別のＡＶ機器を載置することにより、前記クレイドル部と前記別のＡＶ機器をそれぞれ検知して、蓄積されたＡＶファイルの送信が開始されることを特徴とする請求項３に記載のＡＶラック。
【請求項５】
前記クレイドル部と前記別のＡＶ機器はそれぞれを検知する検出部を備え、前記クレイドル部に前記別のＡＶ機器を載置することにより、前記クレイドル部と前記別のＡＶ機器をそれぞれ検知して、前記別のＡＶ機器の内蔵電池を非接触充電することを特徴とする請求項３に記載のＡＶラック。
【請求項６】
請求項１から請求項５のいずれか１項に記載のＡＶラックと、前記ＡＶラックに備わった無線送信部から送信されたＡＶ信号を受信する無線受信部を備えた表示装置とを含むＡＶラックシステム。
【請求項７】
前記ＡＶラックのクレイドル部にムービーを載置したことを特徴とする請求項６に記載のＡＶラックシステム。
【発明の詳細な説明】
【技術分野】
【０００１】
本発明は、家庭等の居間に設置されて、ＨＤＤ−ＤＶＤレコーダ、ＢＤレコーダ等のＡＶ機器を収納するとともに、ＡＶ機器から再生された音声・映像（ＡＶ）信号をＴＶ等の表示装置に送るためのＡＶラックおよびＡＶラックシステムに関する。
【背景技術】
【０００２】
ＶＨＳ方式のＶＴＲやレーザーディスク等のビデオディスクプレイヤーを用いるアナログ方式のＡＶ機器が主流であった頃から、ＡＶラックシステムまたは、ＡＶラックシステムに備わるＡＶラックは、
（１）ＴＶと一体になっており、ＴＶの下部の箱状のスペースにガイドや棚板を用いてＡＶ機器収納部を設けたコンソール型と言われる構成のもの、
（２）ＴＶを載置するためのＴＶと分離可能な箱状の台にガイドや棚板を用いてＡＶ機器を収納するためのスペースを設けた、いわゆるＴＶ台兼用の構成のもの、
（３）ガイドや棚板を用いてＡＶ機器を収納するためのスペース設けた箱状の独立した単体構成のもの、
という３種類に分類できる。いずれの構成のＡＶラックシステムまたは、ＡＶラックシステムに備わるＡＶラックも固定式であって、各機器の設置後に移動させることはほとんどなく、また、ＡＶラックシステムまたはそれに備わるＡＶラックに収納されたＡＶ機器とＴＶとの間は音声・映像信号を伝送する信号ケーブルを結線する必要があった。ＴＶおよびＡＶ機器の背部にあるコネクタと信号ケーブルを接続するための結線作業は、各機器の取り扱い説明書を見ながら行う必要があり、このような作業に慣れていない通常のユーザーにとっては煩雑なものであった。
【０００３】
煩雑なＡＶ機器とＴＶとの結線作業を解消するために、箱型のラック部およびＡＶ機器それぞれに信号線接続のためのコネクタを設けて、複数のＡＶ機器を収納し、配線作業を容易にするＡＶラックが提案されている（例えば、特許文献１参照）。このような従来のＡＶラックの構造の一例を図５に断面図で示した。図５に示したＡＶラック５０１は、上記の（２）または（３）の構成に相当し、ＶＴＲ、ビデオディスクプレイヤーやＤＶＤレコーダ等のＡＶ機器５２１等が前面から出し入れできるように箱型をして、側板５１１の内側にＡＶ機器５２１を保持するためのガイド部５１２を設け、ガイド部５１２単位で電源ラインとともに信号伝達のためのバスライン５１３が接続される多ピン構成の複数個のコネクタ５１４を、後部あるいは側板５１１内面の縦方向に並列的に配置し、この配置したコネクタ５１４に接続可能な別のコネクタ５２２が背面側に設けられたＡＶ機器５２１を１台あるいは複数台のそれぞれのガイド部５１２に沿って矢印５２３の方向に挿入することにより必要な電源および信号線の接続を可能にしている。
【特許文献１】特開平２−２４６４００号公報
【発明の開示】
【発明が解決しようとする課題】
【０００４】
しかしながら、上述した従来のＡＶラックは、ＴＶ受像機の直近に配置されるので、ＡＶラックに収納されるＡＶ機器をリモコンでは操作できない調整等の操作や、各種ディスク等のＡＶメディアの出し入れをするときは、その都度、ＴＶ受像機の直近でＡＶラックが配置されている場所までユーザーが移動する必要があって煩わしかった。
【０００５】
さらに、上述の従来のＡＶラックでは、バスラインとコネクタが設けられているので、ＴＶおよびＡＶ機器の背部にあるコネクタと信号ケーブルを接続するための結線作業は、確かに簡略化され、ＴＶおよびＡＶ機器の背部の信号ケーブルの数も減少して外観的に見栄えがよくなるが、ＡＶ信号の高速転送はかなり難しく、また、ＡＶ信号の波形歪や誘導ノイズのため、特にフルＨＤ（Ｈｉｇｈ  Ｄｅｆｉｎｉｔｉｏｎ）のＡＶ信号をベースバンドのままで使用することは困難であった。
【０００６】
本発明は、上記の課題を解決するためになされたものであり、ロケーションフリーで移動可動なため配置場所を選ばず、超高速の無線通信機能により、映像・音声信号、特にベースバンドのフルＨＤ映像信号等を再生して利用可能にするＡＶラックおよびＡＶラックシステムを提供することを目的とする。
【課題を解決するための手段】
【０００７】
上記目的を達成するために、本発明のＡＶラックは、少なくとも１台以上のＡＶ機器を収納可能な筐体からなり、床面上を自由に移動可能なＡＶラックであって、筐体に収納された少なくとも１台のＡＶ機器からのＡＶ信号を筐体の外部に設置された表示装置に無線送信するための無線送信部と、ＡＶ機器を無線送信部に接続するための接続部とを内蔵したことを特徴とする。これにより、床上のケーブル配線が不要であるので、設置が容易で美観を損なわず、部屋の任意の箇所に設置可能となり、映像・音声情報を再生してワイヤレスで転送し、表示装置で視聴することが可能となる。
【０００８】
また本発明のＡＶラックは、ＡＶ信号はＨＤベースバンド信号であり、無線送信はミリ波を利用した無線送信であり、ＡＶ機器および無線送信部はＨＤＭＩ規格に準拠した接続部で接続されることが望ましい。これにより、超高速の無線通信機能を備えているので、ベースバンドのフルＨＤの映像・音声情報を表示装置で視聴することが可能となる。また、汎用のＨＤＭＩ規格に対応しているため多くのＡＶ機器が接続可能となる。
【０００９】
また本発明のＡＶラックは、ＡＶファイルを蓄積可能であり、ＡＶファイルを送信するファイル送信部を備える別のＡＶ機器を載置でき、筐体の外上面部に設けられて、筐体に収納されファイル受信部を備えたＡＶ機器と通信可能なクレイドル部をさらに備えてもよい。これにより、別のＡＶ機器をＡＶラックの上に置くだけで、このＡＶ機器を容易にＡＶラックシステムに組み込むことができ、ＡＶラック内のＡＶ機器とＡＶファイルの状態で送受信が可能となる。
【００１０】
また本発明のＡＶラックは、クレイドル部と別のＡＶ機器はそれぞれを検知する検出部を備え、クレイドル部に別のＡＶ機器を載置することにより、クレイドル部と別のＡＶ機器をそれぞれ検知して、蓄積されたＡＶファイルの送信が開始されるようにしてもよい。これにより、別のＡＶ機器をＡＶラックに置くだけで、ＡＶファイルがＡＶラック内のＡＶ機器に転送可能となるので、再生、送信、記録等の余分なユーザー操作が不要となり使い勝手が向上する。
【００１１】
また本発明のＡＶラックは、クレイドル部と別のＡＶ機器はそれぞれを検知する検出部を備え、クレイドル部に別のＡＶ機器を載置することにより、クレイドル部と別のＡＶ機器をそれぞれ検知して、別のＡＶ機器の内蔵電池を非接触充電するようにしてもよい。これにより、別のＡＶ機器をＡＶラックに置くだけで、内蔵電池が充電できるので充電のための接続が不要であるばかりでなく、充電を忘れることがない。
【００１２】
本発明のＡＶラックシステムは、上述したＡＶラックと、ＡＶラックに備わった無線送信部から送信されたＡＶ信号を受信する無線受信部を備えた表示装置とを含むことを特徴とする。これにより、床上のケーブル配線が不要であるので、設置が容易で美観を損なわず、部屋の任意の箇所に設置可能となり、映像・音声情報を再生してワイヤレスで転送し、表示装置で視聴するＡＶラックシステムを提供できる。
【００１３】
また本発明のＡＶラックシステムは、ＡＶラックのクレイドル部にムービーを載置することが望ましい。これにより、ムービーで記録したＡＶ信号をＡＶラック内のＢＤ／ＨＤＤレコーダ等に蓄積保存することが容易となる。
【発明の効果】
【００１４】
本発明におけるＡＶラックは、床上のケーブル配線が不要であるので、設置が容易で美観を損なわず、部屋の任意の箇所に設置可能となり、超高速の無線通信機能を備えているので、映像・音声信号、特にベースバンドのフルＨＤ映像信号等を再生してワイヤレスで転送し、表示装置で視聴することが可能となる。
【発明を実施するための最良の形態】
【００１５】
以下、本発明の実施の形態について、図面を参照しながら詳しく説明する。
【００１６】
（実施の形態）
図１は本発明の実施の形態におけるＡＶラック、ＡＶラックシステムの構成を概略的に示すブロック図、図２は本発明の実施の形態におけるＡＶラック、ＡＶラックシステムを使用している様子の具体的な一例を示す俯瞰図、図３は本発明の実施の形態におけるＡＶラック、ＡＶラックシステムの動作手順の例を示す流れ図、図４は本発明の実施の形態におけるＡＶラック、ＡＶラックシステムの動作手順に沿ってＴＶ受像機等の表示装置に表示される画面の例を示す図である。なお、図１、図２においては、同じ構成要素には重複を避けるため同じ符号を付している。
【００１７】
最初に、図１、図２を参照しながら、本発明の実施の形態に係るＡＶラックおよびＡＶラックシステムの構成について説明する。
【００１８】
図１、図２において、本発明の実施の形態におけるＡＶラックシステム１００は、各種のＡＶ機器等を収納したラック部１０１と、ラック部１０１との間で無線信号を送受信する信号通信部１０２を備えたＴＶ受像機等の表示装置１８０とにより構成されており、家庭において、ＴＶ受像機等の表示装置１８０が設置された居室等の部屋２００に配置される。図２の破線の円内部分に示したのがラック部１０１であり、二点鎖線の円内部分に示したのが信号通信部１０２である。
【００１９】
本発明の実施の形態におけるＡＶラックシステム１００のラック部１０１には、箱状の筐体の前面側から各種のＡＶ機器の出し入れができ、かつ、内部仕切り用の棚板や側板部に設けられたガイド部材（いずれも図１には示さず）を用いて設置することで収納可能なＡＶラック１１０を用いている。居室等の部屋２００に配置されたＴＶ受像機等の表示装置１８０で放送番組やディスク等の媒体に記録された映画等のコンテンツを再生して見るとき、一般にユーザー２０１（図１には示さず）は表示装置１８０の画面から離れた位置でソファー２０２等（図１には示さず）に座ったままで、ＴＶ放送の番組のチャンネルの切り替え、音量や映像輝度等の表示状態の変更や、ＡＶ機器で再生されるコンテンツの切り替え等の操作を、リモコン１９０を用いて行っている。ＡＶラック１１０の箱状の筐体の底部には移動手段として３個以上のキャスタ１１３が所定の位置に取り付けられて、移動可能で、ロケーションフリーになっている。ユーザー２０１が座る場所から手の届く範囲の適当な位置にＡＶラック１１０を配置すれば、ユーザー２０１はリモコン１９０ではできないＡＶ機器の操作や、ＡＶ機器へのディスク等の媒体の出し入れを、ソファー２０２から立ち上がることなく座ったままで実行することを可能にしている。
【００２０】
そして、ＡＶラック１１０の箱状の筐体内には、ミリ波の６０ＧＨｚ帯を利用して４Ｇビット／秒以上の超高速でＡＶ信号を送信可能な無線送信部である無線部１３０が組み込まれている。無線部１３０は入出力部１３１、ＡＶ信号通信部１３２、制御コマンド処理部１３３と電波発信用のアンテナ１１１を備えている。入出力部１３１は、１本の信号ケーブル１１２でＲＧＢ信号だけでなく、輝度／色差信号を含むベースバンド（非圧縮）の映像データに加えてオーディオデータの信号を同時に高速伝送できるインタフェースバスの規格であるＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）でＡＶ機器間を接続するための駆動回路および接続部である複数のコネクタを含むポートとなっている。ＡＶラック１１０に収納された図１に示すＢＤ／ＨＤＤレコーダ１２０を始めとするＢＤプレイヤー、ＤＶＤ／ＨＤＤレコーダ等のＡＶ機器と無線部１３０とがこの接続部を介して接続されている。制御コマンド処理部１３３は、ＨＤＭＩで信号を伝達する入出力部１３１経由でＢＤ／ＨＤＤレコーダ１２０等のＡＶ機器の機器制御を行うコマンド信号を処理する。ＡＶ信号通信部１３２は、ＢＤ／ＨＤＤレコーダ１２０等のＡＶ機器で再生されて、ＨＤＭＩの入出力部１３１経由で伝送されたベースバンド（非圧縮）の映像データからなる映像信号および音声データ信号をＴＶ受像機等の表示装置（システム）１８０と一体に接続された信号通信部１０２を構成する無線通信部１７０に伝達する。これらの映像および音声信号と制御信号とはアンテナ１１１から発信される。したがって、ＡＶラック１１０に組み込まれた無線部１３０により、ＡＶ機器が収納されているラック部１０１とＴＶ受像機等の表示装置（システム）１８０の間が超高速ワイヤレスで接続されることになる。
【００２１】
ＡＶラック１１０の箱状の筐体の上面には動画映像をフルＨＤで記録するＨＤムービー１６０用のクレイドル部２０３（図１には明示せず）が設けられている。クレイドル部２０３は２つの機能を有している。１つは、ＨＤムービー１６０を検出し、この検出結果をＡＶラック１１０に収納されたＢＤ／ＨＤＤレコーダ１２０等のＡＶ機器に知らせる通信機能である。これにより、ＨＤムービー１６０に備わるファイル送信部１６１からＡＶラック１１０に収納されるＡＶ機器が有するファイル受信部１２５に対してフルＨＤで撮影記録された映像音声データファイルの転送が可能となる。このファイル転送はＵＷＢ（Ｕｌｔｒａ  Ｗｉｄｅ  Ｂａｎｄ）無線方式で高速に実行される。フルＨＤの映像はＨ．２６４等の画像圧縮方式によりデータ圧縮されて記録されていてもよいし、ベースバンドのままで記録されていてもよい。ＨＤムービー１６０はＡＶラック１１０のクレイドル部２０３の検出部を備えており、クレイドル部２０３を検出すると、ＨＤムービー１６０のファイル送信部１６１からフルＨＤで撮影記録された映像音声データファイルのワイヤレス高速送信を開始する。また、ＡＶラック１１０のクレイドル部２０３にはＨＤムービー１６０の検出部を備えるとともにＡＶラック１１０に収納されているＡＶ機器との通信手段を有しており、ムービーを検出すると、上記ＡＶ機器が有するファイル受信部１２５に対してフルＨＤ映像音声データファイルのワイヤレス高速受信を開始する。したがって、ムービーをＡＶラックに置くだけで、ＡＶラック内に収納されたレコーダ等を有するＡＶ機器にワイヤレスで高速にファイル転送ができる。さらに、ＨＤムービー１６０とクレイドル部２０３の双方に認証機能を備えさせて、データファイル転送のセキュリティを向上させることもできる。
【００２２】
本発明の実施の形態におけるＡＶラックシステムを構成するＡＶラック１１０に備わるクレイドル部２０３が有する機能の２つ目は、ＨＤムービー１６０の内蔵充電池に対して非接触充電を可能にする機能である。ＨＤムービー１６０、クレイドル部２０３それぞれに、誘導コイルを組み込み、上述したＨＤムービー１６０、クレイドル部２０３それぞれ双方の検出部を利用して、ＡＶラックが備える電源部からクレイドル部２０３にある誘導コイルに電力を供給し、電磁誘導によりＨＤムービー１６０にある誘導コイルに電力が転送されて、ＨＤムービー１６０の内蔵電池を非接触で充電するものである。したがって、ＨＤムービー１６０をＡＶラック１１０に置くだけで、ＨＤムービー１６０の内蔵電池の非接触充電を行うことができる。また、このような非接触充電は、充電ミスによる発熱防止を図る等の安全のために、ＨＤムービー１６０とクレイドル部２０３の双方に認証機能を備えるようにしておくことが望ましい。
【００２３】
なお、上記説明においては、ＨＤムービー１６０とＡＶラック１１０に収納されるＢＤ／ＨＤＤレコーダ１２０等のＡＶ機器との間のＡＶファイルの伝送はＨＤムービー１６０に備わるファイル送信部１６１からＢＤ／ＨＤＤレコーダ１２０等のＡＶ機器に備わるファイル受信部１２５への一方向伝送を仮定して説明したが本発明はこれに限ることなく、ファイル送信部１６１、ファイル受信部１２５をそれぞれファイル伝送部として双方向の伝送を行うことも当然可能である。
【００２４】
次に、本発明の実施の形態におけるＡＶラックシステムに備わるＡＶラック１１０に収納するＡＶ機器としてＢＤ／ＨＤＤレコーダ１２０を例に挙げ、その構成について説明する。ＢＤ／ＨＤＤレコーダ１２０には、ファイル受信部１２５の他に、入出力部１２１、ファイル蓄積部１２２、制御部１２３、再生部１２４等を備えている。ファイル受信部１２５は上述したクレイドル部２０３からの情報に従いＨＤムービー１６０に撮影記録されたフルＨＤ映像音声データファイルのワイヤレス高速受信を可能にしている。ファイル蓄積部１２２は、ＨＤムービー１６０からワイヤレス高速ファイル転送され、ファイル受信部１２５で受信したフルＨＤ映像音声データファイルを、例えばＨＤＤ等やＢＤレコーダ等の記録装置に蓄積する。制御部１２３は、制御コマンドを生成することに加えて、無線部１３０に備わる制御コマンド処理部１３３から入出力部１３１、１２１経由でＨＤＭＩにより伝達された制御信号を解析し、抽出された指示信号により、ファイル蓄積部１２２に蓄積されたフルＨＤ映像音声データファイルを再生部１２４に送る制御を行う。再生部１２４は、ファイル蓄積部１２２に蓄積されたフルＨＤ圧縮データを伸張してベースバンド映像データを再生出力するとともに、音声データを再生出力し、入出力部１２１、１３１経由でＨＤＭＩにより無線部１３０に備わるＡＶ信号通信部１３２に送る。そして、入出力部１３１は、無線部１３０および他のＡＶ機器との間を１本の信号ケーブル１１２でベースバンド（非圧縮）の映像音声データ信号を同時に高速伝送できるインタフェースバスの規格であるＨＤＭＩで接続するための駆動回路および信号ケーブル１１２で接続できるコネクタを含むポートとなっている。
【００２５】
図１に示したＡＶラック１１０には、他のＡＶ機器として符号１４０で示したＡＶ機器−０１と符号１５０で示したＡＶ機器−０２が収納されており、それぞれ、入出力部１４１、１５１と機器動作部１４２、１５２で構成されている。ＡＶ機器−０１と、ＡＶ機器−０２の入出力部１４１、１５１は無線部１３０およびＢＤ／ＨＤＤレコーダ１２０とはＨＤＭＩケーブル１１２で接続され、各ＡＶ機器と無線部１３０の間は高速の信号伝送を可能にしている。また、機器動作部１４２、１５２はＢＤ／ＨＤＤレコーダ１２０におけるファイル受信部１２５、ファイル蓄積部１２２、制御部１２３、再生部１２４等の構成要素を含んでおり、ＡＶ機器−０１、ＡＶ機器−０２とＢＤ／ＨＤＤレコーダ１２０とは構成的に大きな差はない。なお、ＡＶ機器−０１、ＡＶ機器−０２に備わるファイル蓄積部には、例えば、ＨＤＤに加えて半導体フラッシュメモリ装置等の一時記憶装置やＢＤレコーダ、ＤＶＤレコーダ、ＣＤレコーダ、ＭＯレコーダ等の記録装置を利用できる。
【００２６】
続いて、本発明の実施の形態におけるＡＶラックシステム１００を構成する信号通信部１０２について説明する。信号通信部１０２は、上述したように、ラック部１０１とワイヤレス接続するためにＴＶ受像機等の表示装置（システム）１８０に取り付けられた無線通信部１７０である。この無線通信部１７０は、ラック部１０１における無線部１３０と同様に、ＡＶ信号通信部１７２と制御コマンド処理部１７３とを備えている。ＡＶ信号通信部１７２は、ＡＶラック１１０にあるＢＤ／ＨＤＤレコーダ１２０等のＡＶ機器で再生されて、無線部１３０を経由してアンテナ１１１により伝送されるベースバンド（非圧縮）の映像・音声データ信号およびＴＶ受像機等の表示装置（システム）１８０への表示制御を行う制御コマンド信号からなる信号をアンテナ１７１経由で受信する。制御コマンド処理部１７３はＡＶラック１１０の無線部１３０からベースバンド（非圧縮）の映像・音声データ信号とともに送信された表示制御を行う制御コマンド信号を処理して、受信したフルＨＤベースバンド映像音声データをＴＶ受像機等の表示装置（システム）１８０へ表示する。
【００２７】
引き続き、図３、図４を参照しながら、本発明の実施の形態におけるＡＶラックシステムに含まれるＡＶラック１１０にＡＶ機器としてＢＤ／ＨＤＤレコーダ１２０を収納した場合の操作および動作手順を説明する。
【００２８】
ユ−ザー２０１がＴＶ受像機等の表示装置１８０が設置された部屋２００でソファー２０２等に座ってＴＶ放送番組やＢＤディスク、ＤＶＤディスク、ＣＤディスク等のＡＶメディアあるいはＨＤムービー１６０に記録・蓄積されたＡＶコンテンツを視聴するため、リモコン１９０を用いて各機器の電源をＯＮにし（ステップＳ１）、リモコン１９０のメニューボタンを押すと、表示装置１８０の画面１８１には図４（ａ）に示すように利用可能なコンテンツのリストがテキスト文字で表示される（ステップＳ２）。リモコン１９０の矢印（またはカーソル）キーを押すと画面１８１上で選択されたコンテンツのテキスト文字の色が変化（ハイライト）するのでエンター（または、決定）キーを押して所望のコンテンツを選択する。ＴＶ放送番組を見るかどうかを判断して（ステップＳ３）、画面１８１上のリストで、例えば「地上デジタル放送」、「衛星デジタル放送」、「ケーブルネットワーク」等のＴＶ放送番組のいずれかを見ることを選択したとき、ＴＶ放送コンテンツに対応して配信番組の番組表（ＥＰＧ）が表示装置１８０の画面１８１に、図４（ｂ）に示すように表示される（ステップＳ４）。再び、リモコン１９０の矢印（またはカーソル）キーを押し、選択された番組の文字テキスト、表のセルの背景色の色の変化すること等を利用して所望の番組を選択し（ステップＳ５）、エンター（または、決定）キーを押して選択した番組の内容を視聴する（ステップＳ６）。ＴＶ放送番組が終わったり、興味をなくしたりした場合、視聴するＴＶ放送番組を変更するかを判断し（ステップＳ７）、変更する場合はリモコン１９０の中止（または終了）ボタンを押して、表示装置１８０の画面１８１上に図４（ｂ）のＴＶ放送の番組表（ＥＰＧ）が表示されるステップＳ４に戻り、ステップＳ５→ステップＳ７が繰り返される。ステップＳ７で視聴するＴＶ放送番組を変更せずにＴＶ放送番組を視聴しない場合、利用するコンテンツ（機器）を変更するかを判断し（ステップＳ８）、変更する場合はリモコン１９０のメニューボタンを押して、表示装置１８０の画面１８１上に図４（ａ）の利用コンテンツ（機器）が表示されるステップＳ２に戻り、以降のステップが継続される。ステップＳ８で利用コンテンツ（機器）を変更しない場合、リモコン１９０を用いてＴＶ受像機の電源をＯＦＦにして（ステップＳ６）、利用を終える。
【００２９】
ステップＳ３でＴＶ放送番組を見ないと判断した場合、本発明の実施の形態におけるＡＶラックシステム１００のＡＶラック１１０に収納されたＢＤ／ＨＤＤレコーダ１６０によるＢＤコンテンツを視聴するか否かの判断に移る（ステップＳ１０）。ＢＤ／ＨＤＤレコーダ１２０は、ＢＤを再生可能なＢＤプレイヤーの機能を有しているが、ソファー２０２の近傍にあるＡＶラック１１０に収納されているため、ＢＤの挿入、取り出しという作業をユーザー２０１は座ったまま手元で行うことができる。そして、上述と同様にリモコン１９０の矢印（またはカーソル）キーの操作により、表示装置１８０の表示画面１８１における図４（ａ）の利用可能なコンテンツのリストから「ＢＤコンテンツ」を選択して、ＢＤコンテンツを視聴するように判断されると、表示装置１８０の表示画面１８１が図４（ｃ）に示されるように、ＢＤ／ＨＤＤレコーダ１２０で視聴可能な複数のコンテンツの表示に切り替わる（ステップＳ１１）。視聴可能なコンテンツはタイトルテキストおよびキャプチャされた代表画像のサムネイル（ＴＮ）の両方が表示されて、選択を容易にしている。上述したＴＶ放送番組の選択の操作手順と同様に、リモコン１９０の矢印（またはカーソル）キーを操作し、選択されたコンテンツのテキストとＴＮ画像がハイライトされて変化すること等を利用して所望のコンテンツを選択し（ステップＳ１２）、続いて、エンター（または、決定）キーを押して選択したコンテンツの内容を表示装置１８０の画面１８１に表示させて視聴する（ステップＳ１３）。このとき、前述したように、ＡＶラックに収納されたＢＤ／ＨＤＤレコーダ１２０で再生されたベースバンド（非圧縮）の映像データからなる映像信号および音声データ信号はＨＤＭＩケーブル１１２で無線部１３０に送られ、ミリ波の６０ＧＨｚ帯を利用して４Ｇビット／秒以上の超高速ワイヤレスで伝送され、フルＨＤの映像が表示装置１８０に配設された無線通信部１７０を介して画面１８１に表示される。
【００３０】
この後、ＢＤコンテンツの視聴が終わったり、興味をなくしたりした場合、他のＢＤコンテンツに変更するかを判断し（ステップＳ１４）、変更する場合はリモコン１９０の中止（または終了）ボタンを押して、表示装置１８０の画面１８１上に図４（ｃ）のＢＤ／ＨＤＤレコーダ１２０で視聴可能な複数のコンテンツが表示されるステップＳ１１に戻り、ステップＳ１２→ステップＳ１４が繰り返される。ステップＳ１４で他のＢＤコンテンツに変更せずこれ以上ＢＤコンテンツを視聴しない場合、利用するコンテンツ（機器）を変更するかどうかを判断するステップＳ８の処理に移る。以降の処理においては、変更する場合はリモコン１９０のメニューボタンを押して、表示装置１８０の画面１８１上に図４（ａ）の利用コンテンツ（機器）が表示されるステップＳ２に戻り、上述と同様にステップＳ３以下のステップが継続される。ステップＳ８で利用コンテンツを変更しない場合、リモコン１９０を用いてＴＶ受像機の電源をＯＦＦにして（ステップＳ６）、利用を終えることは同じである。
【００３１】
次に、ステップＳ１０でＢＤコンテンツを見ないと判断した場合、ＨＤムービーの内容を見るか否かの判断に移る（ステップＳ１５）。ここでは、本発明の実施の形態におけるＡＶラックシステム１００のＡＶラック１１０を利用して、ＨＤムービー１６０で撮影し記録したフルＨＤの映像コンテンツをＴＶ受像機等の表示装置１８０の画面１８１に表示する一連の動作および操作手順について説明する。
【００３２】
上述の説明と同様に、このときもリモコン１９０の矢印（またはカーソル）キーの操作により、表示装置１８０の表示画面１８１における図４（ａ）の利用可能なコンテンツのリストから「ＨＤムービー」を選択して、ＨＤムービー１６０の記録内容を視聴するように決定する。ユーザー２０１はソファー２０２に座ったままの体勢で、ＨＤムービー１６０の機器本体を本発明の実施の形態におけるＡＶラックシステム１００のＡＶラック１１０の箱状の筐体上面に設けられたクレイドル部２０３に載置する（ステップＳ１６）。すると、ＡＶラック１１０のクレイドル部２０３がＨＤムービー１６０を検知し、直ちに、ＨＤムービー１６０にフルＨＤで記録されて蓄積された映像情報の、ＡＶラック１１０に収納されているＢＤ／ＨＤＤレコーダ１２０等のＡＶ機器へのワイヤレス高速の取り込みが開始される（ステップＳ１７）。
【００３３】
同時に、表示装置１８０の表示画面１８１には、図４（ｄ）に示されるように、ＨＤムービー１６０からＢＤ／ＨＤＤレコーダ１２０等に備わるファイル蓄積部１２２への映像情報の取り込み・転送の経過が表示される。これらの一連の処理は、本発明の実施の形態におけるＡＶラックシステム１００のＡＶラック１１０の構成について説明したように、ＨＤムービー１６０とクレイドル部２０３がそれぞれお互いを検出すると、ＨＤムービー１６０のファイル送信部１６１は映像音声データファイルをＢＤ／ＨＤＤレコーダ１２０等が備えるファイル受信部１２５へワイヤレス高速送信を開始し、ファイル蓄積部への転送を実行する。したがって、ＨＤムービー１６０をＡＶラック１１０に置くだけで、ＡＶラック１１０内に収納されたレコーダ等を有するＡＶ機器にワイヤレスで高速にファイル転送することを可能にしている。なお、このＨＤムービー１６０からＢＤ／ＨＤＤレコーダ１２０へのファイル転送は表示装置１８０でＴＶ番組放送、ＢＤ等のＡＶメディアコンテンツ視聴中か否かに関わらず可能である。また、図４（ｄ）に示したムービーからレコーダを有するＡＶ機器への蓄積ＡＶ情報のワイヤレス自動高速ファイル転送の経過を示す画面を表示させないように設定することもできる。
【００３４】
ＨＤムービー１６０にフルＨＤで記録されて蓄積された映像情報ファイルの、ＡＶラック１１０に収納されているＢＤ／ＨＤＤレコーダ１２０等のＡＶ機器へのワイヤレス高速転送が終了すると、表示装置１８０の表示画面１８１が図４（ｅ）に示されるように、ＢＤ／ＨＤＤレコーダ１２０に転送された視聴可能な複数のフルＨＤ映像コンテンツの表示に切り替わる（ステップＳ１８）。このときも、上述したＢＤコンテンツを視聴するときと同様に、視聴可能なフルＨＤ映像コンテンツとして撮影日時を含むファイル番号のテキストおよびキャプチャされた代表画像のサムネイル（ＴＮ）の両方が表示されて、選択を容易にしている。ＨＤムービー１６０に蓄積されていたフルＨＤ映像コンテンツのファイルについても、上述したＴＶ放送番組の選択あるいはＢＤコンテンツの選択の操作手順と同様に、リモコン１９０の矢印（またはカーソル）キーを操作し、選択されたコンテンツのファイル番号等のテキストとＴＮ画像がハイライトされて変化することを利用して所望のコンテンツファイルを選択し（ステップＳ１９）、続いて、エンター（または、決定）キーを押して選択したコンテンツファイルのフルＨＤ映像情報を表示装置１８０の画面１８１に表示させて視聴する（ステップＳ２０）。このときも、ＡＶラック１１０に備わるＢＤ／ＨＤＤレコーダ１２０のファイル蓄積部に保存された圧縮ＨＤ映像データが再生部１２４で伸張されてベースバンドのフルＨＤ映像データとして再生されるとともに音声データ信号も同時に再生されてＨＤＭＩケーブル１１２で無線部１３０に送られ、表示装置１８０に配設された無線通信部にワイヤレスで伝送されてフルＨＤの映像が画面１８１に表示されることは同じである。
【００３５】
そして、ＨＤムービーに蓄積されていたフルＨＤ映像ファイルの視聴が終わったり、興味をなくしたりした場合、他のフルＨＤ映像ファイルに変更するかを判断し（ステップＳ２１）、変更する場合はリモコン１９０の中止（または、終了）ボタンを押して、表示装置１８０の画面１８１上に図４（ｃ）の視聴可能な複数のフルＨＤ映像ファイルが表示されるステップＳ１８に戻り、ステップＳ１９→ステップＳ２１が繰り返される。ステップＳ２１で他のフルＨＤ映像ファイルに変更せずこれ以上ＨＤムービーに蓄積されていたフルＨＤ映像ファイルを視聴しない場合、利用するコンテンツ（機器）を変更するかどうかを判断するステップＳ８の処理に移る。以降の処理においては、変更する場合はリモコン１９０のメニューボタンを押して、表示装置１８０の画面１８１上に図４（ａ）の利用コンテンツ（機器）が表示されるステップＳ２に戻り、上述と同様にステップＳ３以下ステップが継続される。ステップＳ８で利用コンテンツ（機器）を変更しない場合、リモコン１９０を用いてＴＶ受像機の電源をＯＦＦにして（ステップＳ６）、利用を終えることは他のコンテンツ（機器）の場合と同じである。
【００３６】
なお、上記ではステップＳ１８におけるＨＤムービー１６０に蓄積されたフルＨＤ映像情報ファイルのＢＤ／ＨＤＤレコーダ１２０等のファイル蓄積部１２２へのワイヤレス高速転送が終了してから、ステップＳ１８における表示装置１８０の表示画面１８１が図４（ｅ）のフルＨＤ映像コンテンツの表示に切り替わり、希望するフルＨＤ映像情報ファイルを選択して視聴する処理の手順を説明した。しかしながら、本発明の実施の形態におけるＡＶラックシステム１００では、ＡＶラック１１０に収納したＢＤ／ＨＤＤレコーダ１２０等の制御部１２３および再生部１２４は高性能の映像処理エンジンを搭載しており、ＨＤムービー１６０に蓄積されたフルＨＤ映像情報ファイルのＢＤ／ＨＤＤレコーダ１２０等のファイル蓄積部１２２へのワイヤレス高速転送、蓄積中においても、転送、蓄積と同時にフルＨＤ映像情報ファイルを再生したり、少し間をおいて再生するいわゆる追っかけ再生をしたりして、ＴＶ受像機等の表示装置１８０の画面にフルフルＨＤ映像情報ファイルの表示することを可能にしている。
【００３７】
また、ＨＤムービー１６０からＡＶラック１１０に収納されたＢＤ／ＨＤＤレコーダ１２０等がフルＨＤ映像ファイルを受信すると、表示装置１８０の表示画面１８１に自動的にキャプチャされた代表画像のサムネイル（ＴＮ）が表示されるようにすることもできる。複数のフルＨＤ映像ファイルを受信する場合、過去の蓄積済みのファイルの差分ファイルをすべて受信して、ファイル蓄積部１２２に蓄積・保存することが望ましい。
【００３８】
なお、上記の本発明の実施の形態におけるＡＶラックシステムの説明においては、ＡＶラック１１０に備わる無線部１３０からＢＤ／ＨＤＤレコーダ１２０、ＨＤムービー１６０等のＡＶ機器に保存されたフルＨＤ映像情報信号をワイヤレスで送信し、ＴＶ受像機等の表示装置１８０に配設された無線通信部１７０がフルＨＤ映像情報信号を受信して表示装置１８０の表示画面にフルＨＤ映像情報を表示する場合を例に挙げて説明した。しかしながら、本発明のＡＶラックシステムは、表示装置１８０を備えたＴＶ受像機等が有する各種放送を受信可能なチューナーで受信した放送番組のコンテンツのデジタルＡＶ情報信号を無線通信部１７０のＡＶ信号通信部１７２からワイヤレスで送信し、ＡＶラック１１０の無線部１３０のＡＶ信号通信部１３２が受信し、ＨＤＭＩケーブル１１２経由でＡＶラック１１０に備わるＢＤ／ＨＤＤレコーダ１２０等のＡＶ機器が有するファイル蓄積部１２２に高速で伝送し蓄積・保存することが可能である。
【００３９】
また、上記の本発明の実施の形態のＡＶラックシステムの説明においては、ＡＶラック１１０に収納するＡＶ機器として、ＢＤ／ＨＤＤレコーダをメインに、ＢＤレコーダ、ＤＶＤレコーダ、ＣＤレコーダ、ＭＯレコーダ等の記録装置を例に挙げて説明してきたが、この他に、ＳＴＢ、各種のデジタル放送チューナー等を収納することができ、ＳＴＢ、チューナーからのＡＶ信号出力を信号通信部１０２の無線通信部１７０に送信したり、表示装置１８０への制御コマンドによる制御を行ったりすることも可能である。またＡＶ機器として、上記以外にも各種ＡＶプレイヤーやオーディオアンプ等も考えられる。
【００４０】
また、上記の本発明の実施の形態のＡＶラックシステムの説明においては、ＡＶラック１１０に収納されるＡＶ機器がＡＶラック１１０に内蔵された無線部１３０を経由して表示装置１８０へＡＶ信号をワイヤレス伝送する場合を説明した。しかしながら、ＡＶラック１１０に収納されるＡＶ機器そのものが上記無線部を内蔵しており、ＡＶ機器から直接表示装置１８０へＡＶ信号をワイヤレス伝送してもよい。
【００４１】
また、上記の本発明の実施の形態のＡＶラックシステムの説明においては、ＨＤムービー１６０とクレイドル部２０３がお互いを検知することによって、ＨＤムービー１６０からＡＶラック１１０に収納されたＡＶ機器へＡＶファイルの転送が開始する例を説明したが、クレイドル部２０３を介さずにＨＤムービー１６０と、例えばＢＤ／ＨＤＤレコーダ１２０がお互いを検知してＡＶファイルの転送を開始するようにしてもよい。
【００４２】
また、上記の本発明の実施の形態のＡＶラックシステムの説明においては、映像信号としてＨＤ信号、特にフルＨＤ信号を例に説明したが、本発明はフルＨＤ信号に限定されるものではなく、７２０Ｐ等の他のＨＤ信号やＳＤ（Ｓｔａｎｄａｒｄ  Ｄｅｆｉｎｉｔｉｏｎ）信号にも同様に適応可能である。さらに、映像信号としてはベースバンド信号に対しても、圧縮信号に対しても同様に適応可能であることは言うまでもない。
【００４３】
さらに、上記の本発明の実施の形態のＡＶラックシステムの説明においては、ＡＶラックの無線部１３０と表示装置１８０に組み込まれた無線通信部１７０との間の通信は、６０ＧＨｚ帯ミリ波を利用した超高速の無線通信として説明したが、これに限定されるものではない。例えば、圧縮ＨＤ信号やＳＤ信号を通信する場合は、もっと速度の遅い無線通信を利用してもよい。すなわち、通信する映像信号の速度に応じて十分な速度の無線通信を採用すればよい。
【００４４】
以上説明したように、本発明の実施の形態におけるＡＶラックシステムおよびＡＶラックは、ＡＶラックにキャスタ等の移動可動手段が備わっていてロケーションフリーであり、さらに、ＡＶラックにはＡＶ信号の通信を可能にする無線通信手段が組み込まれ、同時にＴＶ受像機等の表示装置にもＡＶ信号の通信を可能にする無線通信手段を配設しているので、ユーザーはその所在場所の近傍に配置したＡＶラックに収納した各種ディスク等のＡＶメディアの再生手段を手元で操作して、ワイヤレスでそれぞれの映像・音声情報を再生して、ＴＶ受像機等の表示装置で視聴することができる。
【００４５】
また、ＡＶラックに組み込まれた無線通信手段には収納される各種ＡＶ機器と高速信号伝送が可能なインタフェースバスの規格であるＨＤＭＩで接続できる複数のコネクタを含むポートの構成を有し、表示装置に配設した無線通信手段とは６０ＧＨｚ帯ミリ波を利用した超高速の無線通信ができるようになっている。このため、ＢＤに記録されたり、デジタルＴＶ放送で配信されたりするフルＨＤのＡＶ信号をベースバンド（非圧縮）のままで劣化することなく伝送可能となって、ＢＤに記録されたフルＨＤＡＶ情報をＴＶ受像機等の表示装置にそのまま表示させて視聴したり、デジタルＴＶ放送で配信されるフルＨＤＡＶ情報をそのままＢＤ／ＨＤＤレコーダ等に蓄積・記録したりすることができる。
【００４６】
さらに、本発明の実施の形態におけるＡＶラックシステムおよびＡＶラックは、ＡＶラックにクレイドル部と称する手段・機能を備えており、ＨＤムービー等をＡＶラックのクレイドル部に置くだけで、自動的にＢＤ／ＨＤＤレコーダのようなＡＶ機器にフルＨＤのＡＶ情報ファイルを転送、蓄積し、蓄積と同時にＴＶ受像機等の表示装置の画面にフルＨＤＡＶ情報を再生表示することができる。また、ＡＶラックに備わるクレイドル部は同時に、ＨＤムービー等の内蔵電池を非接触充電することもできる。
【産業上の利用可能性】
【００４７】
本発明は、移動手段が備わってロケーションフリーであり、超高速の無線通信ができるので、ユーザーが所在場所の近傍に配置して、収納したＢＤディスク等のＡＶメディアの再生手段を手元で操作して、ワイヤレスで映像・音声信号を再生して、表示装置で視聴可能にするためのＡＶラックシステムに用いて利用価値の高いものである。
【図面の簡単な説明】
【００４８】
【図１】本発明の実施の形態におけるＡＶラック、ＡＶラックシステムの構成を概略的に示すブロック図
【図２】本発明の実施の形態におけるＡＶラック、ＡＶラックシステムを使用している様子の具体的な一例を示す俯瞰図
【図３】本発明の実施の形態におけるＡＶラック、ＡＶラックシステムの動作手順の例を示す流れ図
【図４】本発明の実施の形態におけるＡＶラック、ＡＶラックシステムの動作手順に沿ってＴＶ受像機等の表示装置に表示される画面の例を示す図
【図５】従来のＡＶラック、ＡＶラックシステムの構造の一例を示す断面図
【符号の説明】
【００４９】
１００    ＡＶラックシステム
１０１    ラック部
１０２    信号通信部
１１０，５０１    ＡＶラック
１１１，１７１    アンテナ
１１２    信号ケーブル（ＨＤＭＩケーブル）
１１３    キャスタ（移動手段）
１２０    ＢＤ／ＨＤＤレコーダ
１２１，１３１，１４１，１５１    入出力部
１２２    ファイル蓄積部
１２３    制御部
１２４    再生部
１２５    ファイル受信部
１３０    無線部
１３２，１７２    ＡＶ信号通信部
１３３，１７３    制御コマンド処理部
１４０    ＡＶ機器−０１
１４２，１５２    機器動作部
１５０    ＡＶ機器−０２
１６０    ＨＤムービー
１６１    ファイル送信部
１７０    無線通信部
１８０    表示装置（システム）
１８１    画面（表示画面）
１９０    リモコン
２００    部屋
２０１    ユーザー
２０２    ソファー
２０３    クレイドル部
５１１    側板
５１２    ガイド部
５１３    バスライン
５１４，５２２    コネクタ
５２１    ＡＶ機器
５２３    矢印
【図１】
2009118032.tif 000003
【図３】
2009118032.tif 000004
【図４】
2009118032.tif 000005
【図５】
2009118032.tif 000006
【図２】
2009118032.tif 000007